(57)【要約】【課題】遊技機において、不正行為を阻止する部材と、前面枠の閉止位置を矯正する部材との取り付け作業の能率向上を図る。【解決手段】遊技盤が取り付けられる前面枠と、前面枠が開閉自在に枢支される外枠１とを備えた遊技機において、外枠１における下部材６の上端６ａより上方へ突出するように、下部材６の裏面に固定され、前面枠が閉止状態にあるとき、前面枠の下端と下部材の上端６ａとの間の隙間を遮蔽する遮蔽片１０と、遮蔽片１０に連設されるとともに、下部材６の上端に設置され、前面枠の開閉に伴って、前面枠の下端部が乗り上げ可能な案内片１１とを一体的に形成した遮蔽及び案内部材９を有する。【選択図】        図３
2004305457.tif 000002
【特許請求の範囲】
【請求項１】
遊技盤が取り付けられる前面枠と、該前面枠が開閉自在に枢支される外枠とを備えた遊技機において、
前記外枠における下部材の上端より上方へ突出するように、前記下部材の裏面に固定され、前記前面枠が閉止状態にあるとき、前記前面枠の下端と前記下部材の上端との間の隙間を遮蔽する遮蔽片と、該遮蔽片に連設されるとともに、前記下部材の上端に設置され、前記前面枠の開閉に伴って、前記前面枠の下端部が乗り上げ可能な案内片とを一体的に形成した遮蔽及び案内部材を有することを特徴とする遊技機。
【請求項２】
案内片の前端に、下部材の前面に当接し得るように、下方へ折曲した当接片を設けるとともに、前記下部材の裏面に固定される遮蔽片と前記当接片との間に、前記下部材を嵌合させた請求項１記載の遊技機。
【請求項３】
遮蔽及び案内部材を金属板により形成するとともに、遮蔽片の下部材の上端から突出する領域を除いた所定の範囲を前方へ折曲することにより、前記遮蔽片に案内片を連設した請求項１または２記載の遊技機。
【発明の詳細な説明】
【０００１】
【発明の属する技術分野】
本発明は、遊技盤が取り付けられる前面枠と、この前面枠が開閉自在に枢支される外枠とを備えた遊技機に関する。
【０００２】
【従来の技術】
従来、スロットマシン、パチンコ機、その他の遊技機において、遊技盤を取り付けた前面枠と、この前面枠が前方に開閉自在に枢支される外枠とを備え、前面枠の下端と外枠の下部材との間の隙間を遮蔽し、該隙間から針金等を挿入して行う不正行為を防止する遮蔽部材と、前面枠の下端を乗り上げ可能とし、先下がりした前面枠の閉止位置を矯正する案内部材とを有しているものがある（例えば、特許文献１参照）。
【０００３】
【特許文献１】
特開２００１−２３２００９号公報
【０００４】
【発明が解決するための課題】
しかしながら、上述のような遊技機においては、不正行為を阻止する遮蔽部材と前面枠の閉止位置を矯正する案内部材とが別体で形成されているため、部品数が多いだけでなく、遮蔽部材を外枠の下部材の裏面に複数の釘により固定する作業と、案内部材を下部材の上端にビス止めする作業との複数の取り付け作業を要するため、取り付け作業の能率が悪い。
【０００５】
本発明は、上述のような従来の課題を解決するためになされたもので、その目的は、不正行為を阻止する部材と、前面枠の閉止位置を矯正する部材との取り付け作業の能率を向上させた遊技機を提供することにある。
【０００６】
【課題を解決しようとする手段】
本発明によると、上記課題は次のようにして解決される。
（１）遊技盤が取り付けられる前面枠と、該前面枠が開閉自在に枢支される外枠とを備えた遊技機において、前記外枠における下部材の上端より上方へ突出するように、前記下部材の裏面に固定され、前記前面枠が閉止状態にあるとき、前記前面枠の下端と前記下部材の上端との間の隙間を遮蔽する遮蔽片と、該遮蔽片に連設されるとともに、前記下部材の上端に設置され、前記前面枠の開閉に伴って、前記前面枠の下端部が乗り上げ可能な案内片とを一体的に形成した遮蔽及び案内部材を有する。
【０００７】
（２）上記（１）項において、案内片の前端に、下部材の前面に当接し得るように、下方へ折曲した当接片を設けるとともに、前記下部材の裏面に固定される遮蔽片と前記当接片との間に、前記下部材を嵌合させる。
【０００８】
（３）上記（１）または（２）項において、遮蔽及び案内部材を金属板により形成するとともに、遮蔽片の下部材の上端から突出する領域を除いた所定の範囲を前方へ折曲することにより、前記遮蔽片に案内片を連設する。
【０００９】
【発明の実施の形態】
以下、本発明の一実施形態を、図面に基いて説明する。
図１は、本発明の一実施形態を適用した遊技機の斜視図、図２は、遊技機下部（要部）の正面図、図３は、遊技機下部（要部）の分解斜視図、図４は、図２におけるＩＶ−ＩＶ線に沿う縦断面図、図５は、図２におけるＶ−Ｖ線に沿う縦断面図である。なお、図２においては、要部を明示させるため、後述する前面枠（７）は省略されている。
【００１０】
（１）は、ゲームを行うための媒体がパチンコ球、またはコインであるスロットマシン等の回胴式遊技機、若しくはパチンコ機等の遊技機における木製の外枠で、枠上部を構成する天板（２）と、枠の両側部を構成する左側板（３）及び右側板（４）と、枠の底部を構成する底板（５）と、枠下方の前部に取り付けられる前板（６）とから形成されている。
【００１１】
（７）は、前面に遊技盤（図示略）が取り付けられるとともに、ベニヤ合板または合成樹脂等により形成される前面枠で、外枠（１）における天板（２）及び前板（６）の左部に取り付けられた上、下のヒンジ装置（８）（８）により外枠（１）に対して前方へ開閉可能に枢支されている。
【００１２】
（９）は、外枠（１）の下部材をなす前板（６）の上部に取り付けられる金属製の遮蔽及び案内部材で、前面枠（７）が閉じた状態にあるとき、前面枠（７）の下端（７ａ）と前板（６）の上端（６ａ）との間の隙間を遮蔽して、隙間から針金等を挿入して行う不正行為を防止する横長の遮蔽片（１０）と、前面枠（７）が遊技盤及び自らの重さにより、先下がりになった状態で閉じられたとき、前面枠（７）の下端（７ａ）に設けられたローラ等の乗り上げ部材（１４）が乗り上げることにより、前面枠（７）の閉止位置を矯正する案内片（１１）と、案内片（１１）の前端に設けられた当接片（１２）とを一体的に形成している。
【００１３】
遮蔽片（１０）は、前面枠（７）の下端（７ａ）と前板（６）の上端（６ａ）との隙間を遮蔽するに十分な長さを有し、図４及び図５に示すように、その下半分の固定領域（１０ａ）を、前板（６）の裏面（６ｂ）に重合させた状態で複数のビス（１３）により締結することにより、上半分の遮蔽領域（１０ｂ）（請求項３における遮蔽片の下部材の上端から突出する領域に相当）が前板（６）の上端（６ａ）より上方へ突出して、前記隙間を遮蔽するように、前板（６）の裏面（６ｂ）に固定される。遮蔽片（１０）の上端は、下方へ折り返されている。
【００１４】
案内片（１１）は、遮蔽片（１０）の遮蔽領域（１０ｂ）を除いた中央付近の所定幅を前方へ折曲することにより、遮蔽片（１０）に連設される。このように、案内片（１１）を遮蔽片（１０）に連設することにより、遮蔽片（１０）の遮蔽領域（１０ｂ）に一切の切欠き等が設けられることがないので、針金等の挿入を確実に阻止することができる。
【００１５】
当接片（１２）は、案内片（１１）の前端を下方へ折曲して形成され、前板（６）の前面（６ｃ）に当接可能となっている。当接片（１２）と遮蔽片（１０）の固定領域（１０ａ）との間隔は、前板（６）における前後寸法とほぼ同等としている。これにより、当接片（１２）と遮蔽片（１０）の固定領域（１０ａ）との間に、前板（６）を確実に嵌合させることができる。
【００１６】
上記実施形態における遮蔽及び案内部材（９）は、次のようにして、外枠（１）に対して取り付けられる。
先ず、遮蔽片（１０）の固定領域（１０ａ）と当接片（１２）との間に、前板（６）を嵌合させるとともに、案内片（１１）を前板（６）の上端部（６ａ）に載せた状態で、遮蔽及び案内部材（９）を前板（６）に対して仮止めする。この仮止め状態においては、遮蔽片（１０）の固定領域（１０ａ）と当接片（１２）との間隔が、前板（６）の前後寸法とほぼ同等となっているので、遮蔽及び案内部材（９）を前板（６）に確実に仮保持することができる。この仮止め状態で、前板（６）の裏側から遮蔽板（１０）の固定領域（１０ａ）を、ねじ（１３）により前板（６）の裏面（６ｃ）に締結することにより、遮蔽及び案内部材（９）は、外枠（１）の前板（６）に固定される。
【００１７】
遮蔽及び案内部材（９）を前板（６）に固定した状態においては、主に図４及び図５に示すように、遮蔽片（１０）の遮蔽領域（１０ｂ）によって、前面枠（７）の下端（７ａ）と前板（６）の上端（６ａ）との間の隙間が遮蔽され、隙間から針金等を挿入させて行う不正行為を確実に阻止することができる。また、本実施形態のように、遮蔽片（１０）、案内片（１１）及び当接片（１２）を一体的に形成するとともに、当接片（１２）が前板（６）の前面（６ｃ）に当接する構成としたことにより、太い針金等を用いて遮蔽片（１０）を後方へ変形させるような大きな力が作用した場合であっても、当接片（１２）が前板（６）の前面（６ｃ）に当接して、遮蔽片（１０）の変形を抑えることが可能となり、不正行為をより確実に防止することができる。
【００１８】
先下がりした状態の前面枠（７）を閉じた場合には、図４に示すように、乗り上げ部材（１４）が案内片（１１）に乗り上げることによって、前面枠（７）の閉止位置が正規の位置に矯正される。
【００１９】
以上、本発明の一実施形態について説明したが、本発明の要旨を逸脱しない範囲内で、上記実施形態に種々の変形や変更を施すことが可能である。
例えば、上記実施形態においては、遮蔽及び案内部材（９）を、外枠（１）の下部材をなす前板（６）に固定するようにしたが、これに変えて、下部材を底板（５）として、底板（５）に取り付けるようにしてもよい。また、遮蔽及び案内部材（９）の案内片（１１）に乗り上げる乗り上げ部材（１４）を、前面枠（７）の下端（７ａ）に枢着されたローラとしたが、これに代えて、耐摩耗性に優れた金属製または合成樹脂製の摺動体を前面枠（７）の下端（７ａ）に固定してもよい。
【００２０】
【発明の効果】
本発明によると、次のような効果を奏することができる。
（ａ）請求項１記載の発明によれば、遮蔽片と案内片とを一体に形成したこにより、案内片を外枠の下部材の上端に載せた仮止め状態で、遮蔽片を下部材の裏面に締結するだけで、遮蔽及び案内部材を外枠に簡単かつ確実に固定することができ、取り付け作業の能率向上を図ることができる。
【００２１】
（ｂ）請求項２記載の発明によれば、請求項１に係わる発明の効果に加えて、当接片と遮蔽片との間に下部材を嵌合させた状態で、遮蔽及び案内部材を仮止めすることができるため、遮蔽及び案内部材を正確な取り付け位置に確実に仮保持することができ、遮蔽及び案内部材をより確実かつ簡単に固定することができる。
また、遮蔽片を後方へ変形させるような大きな力が作用した場合であっても、当接片が下部材の前面に当接して、遮蔽片の変形を抑えることが可能となり、不正行為をより確実に防止することができる。
【００２２】
（ｃ）請求項３記載の発明によれば、請求項１または２に係わる発明の効果に加えて、遮蔽片の下部材の上端から突出する領域に一切の切欠き等が設けられることがないので、針金等の挿入を確実に阻止し、不正行為をより確実に防止することができる。
【図面の簡単な説明】
【図１】本発明の一実施形態を適用した遊技機の斜視図である。
【図２】同じく、遊技機下部（要部）の正面図である。
【図３】同じく、遊技機下部（要部）の分解斜視図である。
【図４】図２におけるＩＶ−ＩＶ線に沿う縦断面図である。
【図５】図２におけるＶ−Ｖ線に沿う縦断面図である。
【符号の説明】
（１）外枠
（２）天板
（３）左側板
（４）右側板
（５）底板（下部材）
（６）前板（下部材）
（６ａ）上端
（６ｂ）裏面
（６ｃ）前面
（７）前面枠
（７ａ）下端
（８）ヒンジ装置
（９）遮蔽及び案内部材
（１０）遮蔽片
（１０ａ）固定領域
（１０ｂ）遮蔽領域
（１１）案内片
（１２）当接片
（１３）ビス
（１４）乗り上げ部材
【図１】
2004305457.tif 000003
【図２】
2004305457.tif 000004
【図３】
2004305457.tif 000005
【図４】
2004305457.tif 000006
【図５】
2004305457.tif 000007